(57)【要約】【課題】飲料者によるコーヒーの抽出作業を簡略化して、コーヒーバッグ１の取扱性・利便性を十分に高めること。【解決手段】  コーヒー粉Ｍを内包した袋体５は、超極細繊維の不織布によって構成され、袋体５の少なくと片面に開口部７が形成され、袋体５に、カップ３内に注がれたお湯を袋体５内へ導入する導入シート部材９が開口部７を覆うように設けられ、導入シート部材９は、合成繊維をメッシュ状に織り込むことによって構成されたこと。【選択図】  図１
2009273776.tif 000002
【特許請求の範囲】
【請求項１】
カップ内にコーヒーを抽出する際に用いられるコーヒーバッグにおいて、
超極細繊維の不織布によって構成され、少なくと片面に開口部が形成され、コーヒー粉を内包した袋体と、
前記袋体に前記開口部を覆うように設けられ、合成繊維をメッシュ状に織り込むことによって構成され、前記カップ内に注がれたお湯を前記袋体内へ導入する導入シート部材と、
を備えたことを特徴とするコーヒーバッグ。
【請求項２】
一端が前記袋体の上部に取付られた吊り紐と、
前記吊り紐の他端に取付けられた摘み片と、
を備えたことを特徴とする請求項１に記載のコーヒーバッグ。
【請求項３】
前記袋体の上部に設けられたトレイと、
前記トレイの内側に設けられ、コーヒーの抽出後に前記袋体から漏出した水分を吸水する吸水シート部材と、
を備えたことを特徴とする請求項１に記載のコーヒーバッグ。
【請求項４】
前記導入シート部材の開口率が５０〜８０％になっていることを特徴とする請求項１から請求項３のうちのいずれかの請求項に記載のコーヒーバッグ。
【発明の詳細な説明】
【技術分野】
【０００１】
本発明は、カップ内にコーヒーを抽出する際に用いられるコーヒーバッグに関する。
【背景技術】
【０００２】
近年、ドリップ式のコーヒーメーカーを簡易にしたものとしてコーヒーバッグが広く市場に出回っており、一般的なコーヒーバッグな構成等は、次のようになる。
【０００３】
即ち、一般的なコーヒーバッグは、コーヒー粉を封入する袋体を備えており、この袋体は、超極細繊維の不織布によって構成されている。また、袋体は、上端側に、開放可能な注ぎ口を有している。そして、袋体の外側面には、袋体をカップに懸架する一対の懸架部材が袋体を挟むように対向して設けられており、各懸架部材には、カップの周縁に係止可能な係止爪がそれぞれ形成されている。
【０００４】
従って、袋体の注ぎ口を開放させた状態で、一対の懸架部材の係止爪をカップの周縁に係止させることにより、一対の懸架部材によって袋体をカップに懸架して、ドリップバッグをカップにセットする。そして、袋体の注ぎ口にお湯を注ぐことにより、コーヒーをカップ内に抽出することができる。
【０００５】
なお、本発明に関連する先行技術として特許文献１から特許文献３に示すものがある。
【特許文献１】特開２００４−２３０１４３号公報
【特許文献２】特開２００４−２０８９０６号公報
【特許文献３】実開平６−６２９３９号公報
【発明の開示】
【発明が解決しようとする課題】
【０００６】
ところで、カップ内にコーヒーを抽出する場合、その都度、飲料者が袋体の注ぎ口を解放しなければならならず、飲料者によるコーヒーの抽出作業の工数が増える。そのため、飲料者によるコーヒーの抽出作業が煩雑化して、コーヒーバッグの取扱性・利便性を十分に高めることが困難であるという問題がある。
【０００７】
そこで、本発明は、前述の問題を解決することができる、新規な構成のコーヒーバッグを提供することを目的とする。
【課題を解決するための手段】
【０００８】
本発明の第１の特徴（請求項１に記載の発明の特徴）は、カップ内にコーヒーを抽出する際に用いられるコーヒーバッグにおいて、超極細繊維の不織布によって構成され、少なくと片面に開口部が形成され、コーヒー粉を内包した袋体と、前記袋体に前記開口部を覆うように設けられ、合成繊維をメッシュ状に織り込むことによって構成され、前記カップ内に注がれたお湯を前記袋体内へ導入する導入シート部材と、を備えたことを要旨とする。
【０００９】
第１の特徴によると、前記袋体を前記カップ内に入れて、前記カップ内にお湯を注ぐことにより、前記導入シート部材からお湯が前記袋体内へ導入され、コーヒーを前記カップ内に抽出することができる。
【００１０】
つまり、前記袋体の少なくとも片面に前記導入シート部材が前記開口部を覆うように設けられ、前記導入シート部材が合成繊維をメッシュ状に織り込むことによって構成されているため、前記袋体に開放可能な注ぎ口を設けることなく、換言すれば、飲料者が前記袋体の一部を開放することなく、コーヒーを前記カップ内に抽出することができる。これにより、飲料者によるコーヒーの抽出作業の工数を減らすことができる。
【００１１】
本発明の第２の特徴（請求項２に記載の発明の特徴）は、第１の特徴に加えて、一端が前記袋体の上部に取付られた吊り紐（下げ紐）と、前記吊り紐の他端に取付けられた摘み片と、を備えたことを要旨とする。
【００１２】
本発明の第３の特徴（請求項３に記載の発明の特徴）は、第１の特徴に加えて、前記袋体の上部に設けられたトレイと、前記トレイに設けられ、コーヒーの抽出後に前記袋体から漏出した水分を吸水する吸水シート部材と、を備えたことを要旨とする。
【００１３】
第３の特徴によると、コーヒーの抽出後に、前記コーヒーバッグを前記カップから取り出す。そして、前記コーヒーバッグを前記吸水シート部材に保持させることにより、前記吸水シート部材によって前記袋体から漏出した水分を吸水する。これにより、前記コーヒーバッグを前記カップの近傍の皿等に一時的に置いたり又は前記コーヒーバッグをゴミ箱等に捨てたりする場合に、前記袋体に残った水分が漏出して、皿、床等に付着することを十分に抑えることができる。
【００１４】
本発明の第４の特徴（請求項４に記載の発明の特徴）は、第１の特徴から第３の特徴のうちのいずれかの特徴に加えて、前記導入シート部材の開口率が５０〜８０％になっていることを要旨とする。
【発明の効果】
【００１５】
請求項１から請求項４のうちのいずれかの請求項に記載の発明よれば、飲料者によるコーヒーの抽出作業の工数を減らすことができるため、飲料者によるコーヒーの抽出作業を簡略化して、前記コーヒーバッグの取扱性・利便性を十分に高めることができる。
【００１６】
請求項３又は請求項４に記載の発明によれば、前記コーヒーバッグを前記カップの近傍の皿等に一時的に置いたり又は前記コーヒーバッグをゴミ箱等に捨てたりする場合に、前記袋体に残った水分が前記袋体から漏出して、皿、床等に付着することを十分に抑えることができるため、コーヒーの抽出に伴う後処理の簡略化を図って、前記コーヒーバッグの取扱性・利便性を更に高めることができる。
【発明を実施するための最良の形態】
【００１７】
（第１実施形態）
第１実施形態について図１及び図２を参照して説明する。
【００１８】
ここで、図１は、第１実施形態に係るコーヒーバッグの斜視図、図２は、第１実施形態に係るコーヒーバッグを用いてコーヒーをカップに抽出している状態を示す斜視図である。
【００１９】
図１及び図２に示すように、第１実施形態に係るコーヒーバッグ１は、カップ３内にコーヒーを抽出する際に用いられるものであって、コーヒーバッグ１の具体的な構成は、次のようになる。
【００２０】
コーヒーバッグ１は、コーヒー粉Ｍを封入する袋体５を備えており、この袋体５は、超極細繊維の不織布によって構成されており、より具体的には、熱圧着された２層の不織布シートによって構成されている。また、袋体５の両面の上部には、複数の開口部７がそれぞれ形成されている。なお、袋体５の両面ではなく、袋体５の片面のみに開口部７が形成されるようにしてもよく、開口部７の形状及び大きさは、適宜に変更可能である。
【００２１】
袋体５の裏側（内側）の上部には、導入シート部材９が熱圧着によって複数の開口部７を覆うように設けられており、この導入シート部材９は、カップ３内に注がれたお湯を袋体５内へ導入するものである。また、導入シート部材９は、ポリプロピレン樹脂等の合成繊維をメッシュ状に織り込むことによって構成されている。なお、袋体５の裏側でなく、袋体５の表側（外側）に導入シート部材９が熱圧着によって複数の開口部を覆うように設けられるようにしても構わない。
【００２２】
そして、導入シート部材９の開口率は、５０〜８０％、好ましくは、６０〜７０％になっている。ここで、導入シート部材９の開口率を５０％以上としたのは、導入シート部材９の開口率が５０％未満であると、袋体５内にお湯を十分に導入することが困難になるからである。一方、導入シート部材９の開口率を８０％以下にしたのは、導入シート部材９の開口率が８０パーセントを超えると、袋体５内からコーヒー粉Ｍの中の微粉末が流出し易くなるからである。
【００２３】
袋体５の上部には、吊り紐（下げ紐）１１の一端が取付られており、この吊り紐１１は、合成繊維からなるものである。更に、吊り紐１１の他端には、摘み片１３が取付られており、この摘み片１３は、紙からなるものである。
【００２４】
続いて、第１実施形態の作用及び効果について説明する。
【００２５】
摘み片１３を手Ｈで持って、袋体５をカップ３内に入れる。そして、カップ３内にお湯を注ぐことにより、導入シート部材９からお湯が袋体５内へ導入され、コーヒーをカップ３内に抽出することができる。
【００２６】
つまり、袋体５の少なくとも片面に導入シート部材９が熱圧着によって複数の開口部７を覆うように設けられ、導入シート部材９が合成繊維をメッシュ状に織り込むことによって構成されているため、袋体５に開放可能な注ぎ口を設けることなく、換言すれば、飲料者が袋体５の一部を開放することなく、コーヒーをカップ３内に抽出することができる。これにより、飲料者によるコーヒーの抽出作業の工数を減らすことができる。
【００２７】
従って、第１実施形態によれば、飲料者によるコーヒーの抽出作業を簡略化して、コーヒーバッグ１の取扱性・利便性を十分に高めることができる。
【００２８】
（第２実施形態）
第２実施形態について図３から図５を参照して説明する。
【００２９】
ここで、図３は、第２実施形態に係るコーヒーバッグの斜視図、図４は、第２実施形態に係るコーヒーバッグを用いてコーヒーをカップに抽出している状態を示す斜視図、図５は、コーヒーの抽出後における第２実施形態に係るコーヒーバッグの斜視図である。
【００３０】
図３及び図４に示すように、第２実施形態に係るコーヒーバッグ１５は、第１実施形態に係るコーヒーバッグ１と同様に、カップ３内にコーヒーを抽出する際に用いられるものであって、コーヒーバッグ１５の具体的な構成は、次のようになる。
【００３１】
コーヒーバッグ１５は、コーヒー粉Ｍを封入する袋体１７を備えており、この袋体１７は、熱圧着された２層の不織布シートによって構成されている。また、袋体１７の両面の中央部には、複数の開口部１９がそれぞれ形成されている。なお、袋体１７の両面ではなく、袋体１７の片面のみに開口部１９が形成されるようにしてもよく、開口部１９の形状及び大きさは、適宜に変更可能である。
【００３２】
袋体１７の裏側の中央部には、導入シート部材２１が熱圧着によって複数の開口部１９を覆うように設けられており、この導入シート部材２１は、カップ３内に注がれたお湯を袋体１７内へ導入するものである。また、導入シート部材２１は、ポリプロピレン樹脂等の合成繊維をメッシュ状に織り込むことによって構成されている。そして、導入シート部材２１の開口率は、５０〜８０％、好ましくは、６０〜７０％になっている。なお、袋体１７の裏側でなく、袋体１７の表側に導入シート部材２１が熱圧着によって複数の開口部１９を覆うように設けられるようにしても構わない。
【００３３】
袋体１７の上部には、トレイ２３が設けられており、このトレイ２３は、紙からなるものであって、袋体１７全体を載置できる程度の大きさになっている。また、トレイ２３の上側には、摘み片２５が一体形成されている。
【００３４】
トレイ２３の内側には、吸水シート部材２７が熱圧着によって設けられており、この吸水シート部材２７は、コーヒーの抽出後に袋体１７から漏出した水分を吸水するものである。また、吸水シート部材２７は、不織布シートと、不織布シートを両側から挟むように設けられたチタンを含有の一対のポリエチレンシートとからなるものである。なお、吸水シート部材２７は、少なくとも袋体１７の下側半分を保持できる程度の大きさであれば構わない。
【００３５】
続いて、第２実施形態の作用及び効果について説明する。
【００３６】
摘み片２５を手（図示省略）で持って、袋体１７をカップ３内に入れて、トレイ２３を起こした状態でカップ３の縁部にセットする。そして、カップ３内にお湯を注ぐことにより、導入シート部材２１からお湯が袋体１７内へ導入され、コーヒーをカップ３内に抽出することができる。なお、トレイ２３を起こした状態でカップ３の縁部にセットする代わりに、寝かせた状態でカップ３の縁部にセットしても構わない。
【００３７】
つまり、袋体１７の少なくとも片面に導入シート部材２１が熱圧着によって複数の開口部１９を覆うように設けられ、導入シート部材２１が合成繊維をメッシュ状に織り込むことによって構成されているため、袋体１７に開放可能な注ぎ口を設けることなく、換言すれば、飲料者が袋体１７の一部を開放することなく、コーヒーをカップ３内に抽出することができる。これにより、飲料者によるコーヒーの抽出作業の工数を減らすことができる。
【００３８】
コーヒーの抽出後に、摘み片２５を手で持って、コーヒーバッグ１５をカップ３から取り出す。そして、図５に示すように、コーヒーバッグ１５を吸水シート部材２７に保持させることにより、吸水シート部材に２７よって袋体１７から漏出した水分を吸水する。これにより、コーヒーバッグ１５をカップ３の近傍の皿等に一時的に置いたり又はコーヒーバッグ１５をゴミ箱等に捨てたりする場合に、袋体１７に残った水分が漏出して、皿、床等に付着することを十分に抑えることができる。
【００３９】
従って、第２実施形態によれば、飲料者によるコーヒーの抽出作業の工数を減らすことができるため、飲料者によるコーヒーの抽出作業を簡略化して、コーヒーバッグ１５の取扱性・利便性を十分に高めることができる。
【００４０】
コーヒーバッグ１５をカップ３の近傍の皿等に一時的に置いたり又はコーヒーバッグ１５をゴミ箱等に捨てたりする場合に、袋体１７に残った水分が漏出して、皿、床等に付着することを十分に抑えることができるため、コーヒーの抽出に伴う後処理の簡略化を図って、コーヒーバッグ１５の取扱性・利便性を更に高めることができる。
【００４１】
なお、本発明は、前述の実施形態の説明に限られるものではなく、適宜の変更を行うことにより、その他、種々の態様で実施可能である。また、本発明に包含される権利範囲は、これらの実施形態に限定されないものである。
【図面の簡単な説明】
【００４２】
【図１】第１実施形態に係るコーヒーバッグの斜視図である。
【図２】第１実施形態に係るコーヒーバッグを用いてコーヒーをカップに抽出している状態を示す斜視図である。
【図３】第２実施形態に係るコーヒーバッグの斜視図である。
【図４】第２実施形態に係るコーヒーバッグを用いてコーヒーをカップに抽出している状態を示す斜視図である。
【図５】コーヒーの抽出後における第２実施形態に係るコーヒーバッグの斜視図である。
【符号の説明】
【００４３】
Ｍ            コーヒー粉
１            コーヒーバッグ
３            カップ
５            袋体
７            開口部
９            導入シート部材
１１            吊り紐
１３            摘み片
１５            コーヒーバッグ
１７            袋体
１９            開口部
２１            導入シート部材
２３            トレイ
２５            摘み片
２７            吸水シート部材
【図１】
2009273776.tif 000003
【図２】
2009273776.tif 000004
【図３】
2009273776.tif 000005
【図４】
2009273776.tif 000006
【図５】
2009273776.tif 000007